(57)【特許請求の範囲】
【請求項１】
無線通信端末が情報を送信し又は受信するチャネルの時変を推定し、
前記無線通信端末によって送信され又は受信された信号の周波数領域均等化（ＦＤＥ）から周波数領域と時間領域との間の対応等価性の劣化を表わす値を減算することにより、前記チャネルの推定された時変を減少することを含む無線通信端末のための方法。
【請求項２】
前記信号は、
【数１】
0005384373.tif 000025
と表わされ、
ρは伝播経路の数を示し、
hl(n)はブロックにおけるタイムインデックスnでのｌ次経路のチャネル係数、
τｌは第１の経路に対する相対的なｌ次経路の遅れ、
{sn}は送信された信号のシーケンス、
{rn}は受信信号、
{ηn}は、受信雑音と他の干渉である請求項１記載の方法。
【請求項３】
周波数領域でRkを生成するためにrnの高速フーリエ変換(ＦＥＴ)を生成することをさらに含む請求項2記載の方法。
【請求項４】
前記周波数領域と時間領域との間の対応等価性の劣化を表わす値は、
時変表現
【数２】
0005384373.tif 000026
を含み、
ここで、fl(n)はｌ次経路の時間n及び時間０でのチャネル係数の差異である、請求項３記載の方法。
【請求項５】
βは、増加(incremental)ステップにおいて周波数領域均等化(FDE)から減算される請求項４記載の方法。
【請求項６】
Rk=Rk-βを介して時変キャンセルを実行することをさらに含む請求項５記載の方法。
【請求項７】
巡回プレフィックスを通してシーケンスを周期的にすることをさらに含む請求項６記載の方法。
【請求項８】
ユニークなワード拡張子(extension)を通してシーケンスを周期的にすることをさらに含む請求項６記載の方法。
【請求項９】
前記推定された時変を減少することを決定するためにしきい値を使用することをさらに含む請求項１記載の方法。
【請求項１０】
前記しきい値は、信号品質パラメータに関連付けられている請求項９記載の方法。
【請求項１１】
前記しきい値は、繰り返し番号に関連付けられている請求項９記載の方法。
【請求項１２】
周波数領域均等化の決定を容易にするためのチャネル推定を実行することをさらに含む請求項1記載の方法。
【請求項１３】
周波数領域均等化を決定するために少なくとも1つの離散フーリエ変換を実行することをさらに含む請求項12記載の方法。
【請求項１４】
周波数領域均等化から出力を生成するために逆拡散機能を実行することをさらに含む請求項13記載の方法。
【請求項１５】
時間領域で少なくとも周波数領域均等化の部分を実行することをさらに含む請求項14記載の方法。
【請求項１６】
周波数領域均等化のために時間領域情報を周波数領域にフィードバックすることをさらに含む請求項15記載の方法。
【請求項１７】
無線通信端末において受信された信号のために時変を決定する指示を保有するメモリと、前記時変は、周波数領域均等化から周波数領域と時間領域との間の対応等価性の劣化を表わす値を減算することにより、減少され、
前記指示を実行するプロセッサと
を具備する通信装置。
【請求項１８】
前記メモリは、前記時変を繰り返して減少する指示をさらに具備する請求項１７記載の通信装置。
【請求項１９】
前記メモリは、周波数領域の時変の部分と時間領域の時間領域の部分を引き算するための指示をさらに含む請求項１８記載の通信装置。
【請求項２０】
前記メモリは、時変を決定するためにフィードバックを使用するための指示をさらに含む請求項１９記載の通信装置。
【請求項２１】
装置において時変を決定する手段と、
前記装置において周波数領域均等化を決定する手段と、
前記装置において周波数領域均等化から周波数領域と時間領域との間の対応等価性の劣化を表わす値を減算することにより、前記時変を減少する手段と
を具備する通信装置。
【請求項２２】
装置において時変を決定し、
前記装置において周波数領域均等化を決定し、
前記装置において周波数領域均等化から周波数領域と時間領域との間の対応等価性の劣化を表わす値を減算することにより、前記時変を減少するための機械読み取り可能な指示を格納する機械読み取り可能な媒体。
【請求項２３】
巡回プレフィックス又はユニークなワード拡張子(extension)を通してシーケンスを周期的にする機械読み取り可能な指示をさらに含む請求項２２記載の機械読み取り可能な媒体。
【請求項２４】
周波数領域の時変キャンセルルーチンの部分と時間領域の時変キャンセルルーチンの部分を実行することをさらに含む請求項２２記載の機械読み取り可能な媒体。
【請求項２５】
装置において受信信号から時変を決定し、
前記装置において周波数領域均等化を実行し、
繰り返し処理を通して、装置において周波数領域均等化から周波数領域と時間領域との間の対応等価性の劣化を表わす値を減算することにより、前記時変を減少する指示を実行するプロセッサ。
【請求項２６】
無線通信アクセスポイントが情報を送信し又は受信するチャネルの時変を推定し、
前記無線通信アクセスポイントによって送信され又は受信された信号の周波数領域均等化（ＦＤＥ）から周波数領域と時間領域との間の対応等価性の劣化を表わす値を減算することにより、前記チャネルの推定された時変を減少することを含む無線通信アクセスポイントのための方法。
【請求項２７】
前記信号は、
【数３】
0005384373.tif 000027
と表わされ、
ρは伝播経路の数を示し、
hl(n)はブロックにおけるタイムインデックスnでのｌ次経路のチャネル係数、
τｌは第１の経路に対する相対的なｌ次経路の遅れ、
{sn}は送信された信号のシーケンス、
{rn}は受信信号、
{ηn}は、受信雑音と他の干渉である請求項２６記載の方法。
【請求項２８】
周波数領域でRkを生成するためにrnの高速フーリエ変換(ＦＥＴ)を生成することをさらに含む請求項2７記載の方法。
【請求項２９】
前記周波数領域と時間領域との間の対応等価性の劣化を表わす値は、
時変表現
【数４】
0005384373.tif 000028
を含み、
ここで、fl(n)はｌ次経路の時間n及び時間０でのチャネル係数の差異であり、
を決定することをさらに含む請求項２８記載の方法。
【請求項３０】
βは、増加(incremental)ステップにおいて周波数領域均等化(FDE)からを減算される請求項２９記載の方法。
【請求項３１】
Rk=Rk-βを介して時変キャンセルを実行することをさらに含む請求項３０記載の方法。
【請求項３２】
無線通信アクセスポイントにおいて受信された信号のために時変を決定する指示を保有するメモリと、前記時変は、周波数領域均等化（ＦＤＥ）から周波数領域と時間領域との間の対応等価性の劣化を表わす値を減算することにより、減少され、
前記指示を実行するプロセッサと
を具備する通信装置。
【請求項３３】
アクセスポイントにおいて時変を決定する手段と、
前記アクセスポイントにおいて周波数領域均等化を決定する手段と、
前記アクセスポイントにおいて周波数領域均等化から周波数領域と時間領域との間の対応等価性の劣化を表わす値を減算することにより、前記時変を減少する手段と
を具備する通信装置。
【請求項３４】
アクセスポイントにおいて受信信号からの時変を決定し、
前記受信信号に従って周波数領域均等化を決定し、
前記周波数領域均等化から周波数領域と時間領域との間の対応等価性の劣化を表わす値を減算することにより、前記時変を減少するための機械読み取り可能な指示を格納する機械読み取り可能な媒体。
【請求項３５】
アクセスポイントにおいて受信信号からの時変を決定し、
前記受信信号に従って周波数領域均等化を実行し、
前記アクセスポイントにおいて前記周波数領域均等化から周波数領域と時間領域との間の対応等価性の劣化を表わす値を減算することにより、前記時変を減少するための指示を実行するプロセッサ。
【発明の詳細な説明】
【技術分野】
【０００１】
関連出願の相互参照
この出願は、2007年3月17日に出願され、題号「FREQUENCY DOMAIN EQUALIZATION FOR TIME VARYING CHANNELS」である米国仮出願No.60/895,452の利益を要求し、その全体がここに組み込まれ参照される。また、この出願は、2007年3月19日に出願され、題号「 FREQUENCY DOMAIN EQUALIZATION FOR TIME VARYING CHANNELS」である米国仮出願No.60/895,583の利益を要求し、その全体がここに組み込まれ参照される。
【０００２】
以下の説明は、一般に、通信システムに関し、特に、時変チャネルがあるときにそのようなチャネルの効果を緩和している間、周波数領域均等化を適用することに関する。
【背景技術】
【０００３】
無線通信システムは、音声、データなどの通信内容の種々のタイプを提供するために広く用いられる。これらのシステムは、利用可能なシステム資源(例えば、帯域幅、送信電力)を共有することによって複数のユーザとの通信をサポートできる多重アクセスシステムであることができる。このような多重アクセスシステムに関する例は、符号分割多重アクセス(CDMA)システム、時分割多重アクセス(TDMA)システム、周波数分割多重アクセス(FDMA)システム、3GPPロングタームエボリューション(LTE)システム、および直交周波数分割多重アクセス(OFDMA)システムを含む。
【０００４】
一般に、無線多重アクセス通信システムは、同時にフォワード及びリバースリンク上の伝送を介して1つ以上の基地局と通信する複数の無線端末との通信をサポートする。 フォワードリンク(または、ダウンリンク)は、基地局から端末までの通信リンクに関連する。この通信リンクは、単一入力及び単一出力、複数入力及び単一出力又は複数入力複数出力(MIMO)システムを介して確立される。
【０００５】
MIMOシステムは、データ伝送のため複数(NT)の送信アンテナ及び複数(NR)の受信アンテナを採用する。NT個の受信アンテナ及びＮＲ個の受信アンテナによって形成されたMIMOチャネルは、ＮＳ個の独立チャネルにデコンプレス(decompress、圧縮解除）され、Ns≦min{NT,NR}の場合に、空間チャネルと呼ばれる。一般に、ＮＳ個の各独立チャネルは次元に対応する。MIMOシステムは、複数の送信アンテナ及び受信アンテナによって作り出される追加的な次元が利用される場合に、改良されたパフォーマンス(例えば、より高いスループット及び／又はより大きい信頼性）を提供することができる。
【０００６】
また、MIMOシステムは時分割デュプレックス(TDD)及び周波数分割デュプレックス(FDD)システムをサポートする。TDDシステムでは、フォワードリンク及びリバースリンク伝送は同じ周波数領域にあるので、相互依存の原則が、リバースリンクチャネルからのフォワードリンクチャネルの推定を可能にする。このことは、複数のアンテナがアクセスポイントで利用可能である場合に、アクセスポイントに送信ビームフォーミングゲインをフォワードリンク上で抽出することを可能にする。
【０００７】
近年、長いインパルス応答を持っているマルチパスチャネルの損傷を補うために周波数領域均等化(FDE)が研究されている。時間領域における操作を周波数領域に変換することによって、FDEは受信機の複雑さを減少させることができる。FDEの開発は時間領域における2つのシーケンスの円形コンボリューションとそれらの周波数応答の要素的な積との一致性に基づく。情報データが周期的であることが強制され、チャネルが、1ブロックのデータの伝送の間に静的であるとみなされる(準静的なチャネルと呼ばれる)場合には、受信信号のスペクトルはチャネルの周波数特性及び送信されたデータのスペクトルとの積と同じである。しかしながら、チャネルが静的でないなら、時間領域と周波数領域の間の等価性はもはや等しくはない。時変チャネルによる非等価性はFDEの性能を下げる。その結果、FDEは、時変チャネルによって引き起こされたひずみを低減するのには有効でない。
【０００８】
時変チャネルにおける性能の劣化にもかかわらず、チャネル時間変化のための修正をすることなく、時変チャネルが実際に静的であるという暗黙の仮定でFDEsが適用される。
【発明の概要】
【０００９】
以下は、請求された主題のいくつかの観点の基本的了解事項を提供するための簡易な概要を提示する。この概要は、広汎な概観でなく、また主要／重要な要素を特定するものではなく、請求された主題の範囲を線引きすることを意図するものでもない。唯一の目的は後で提示されるより詳細な説明への序章として簡潔な形式でいくつかの概念を提示することである。
【００１０】
繰り返し処理とコンポーネントとは複数入力単一出力又は複数入力複数出力(MIMO)のための効率的で正確な周波数領域均等化を可能にするために提供される。種々の処理コンポーネントは、静的なチャネルのために開発された周波数領域均等化(FDE)構造が時変チャネルにおいて有効となるように、チャネル変化のコンポーネントを取り除き、低減し、円形コンボリューションを回復する。従って、時変チャネルにおける周波数領域均等化のビット誤り率(BER)性能が改善される。最初の周波数領域均等化が実行された場合に、無線信号は最初に、高速フーリエ変換などのような入力コンポーネントによって処理される。受信された無線信号は、例えば周波数領域均等化のためのベースライン値を決定するために、P-点離散フーリエ変換を介して時間領域から周波数領域に変換される。しかしながら、時変チャネルについては、ベクトルβが決定され、このベクトルβは、時間領域と周波数領域均等化によって依存される周波数領域との間の対応する均等化の劣化を表わす。したがって、βが周波数領域均等化から繰り返して引かれる場合に、時変キャンセル処理が実行される。この様に、周波数領域均等化性能が時変チャネルが存在する状態で向上する。
【００１１】
前述の及び関連する目的の達成のために、ある説明に役立つ観点が、以下の説明と添付された図面に関連して、ここで説明される。これらの観点は、しかしながら、請求された主題の原理が採用され、請求された主題が、すべての観点とそれらの均等物を含むことを意図する種々の方法を示している。他の利点と新規な特徴は、図面に関連して考えると以下の詳細な説明から明らかになる。
【図面の簡単な説明】
【００１２】
【図１】図1は通信環境における周波数領域均等化について図示するために提供されるシステムの高いレベルのブロック図である。
【図２】図2は周波数領域均等化方法の高いレベルのフローチャートである。
【図３】図3は周波数領域均等化の例示的な処理システムである。
【図４】図4は周波数領域均等化の例示的な処理システムである。
【図５】図5は周波数領域均等化のための例示的な性能データについて図示する。
【図６】図6は周波数領域均等化のための例示的な性能データについて図示する。
【図７】図7は周波数領域均等化のための論理モジュールの例を図示する。
【図８】図8は周波数領域均等化のための論理モジュールの例を図示する。
【図９】図9は周波数領域均等化を使う例のコミュニケーション装置について図示する。
【図１０】図10は周波数領域均等化コンポーネントと共に使うことができる通信システムを図示する。
【図１１】図11は周波数領域均等化コンポーネントと共に使うことができる通信システムを図示する。
【発明を実施するための形態】
【００１３】
無線通信システムにおける周波数領域均等化を容易にするためのシステム及び方法が提供される。ある観点においては、無線通信システムのための方法が提供される。方法は、無線通信システムが送信するチャネルの時間変化を推定することを含む。また、無線通信システムによって送信されたチャネルの推定された時間変化を減少することを含む。ある観点では、時間変化コンポーネントは周波数領域均等化計算から繰り返し減算されることができる。
【００１４】
さらに、端末に関連して様々な観点について説明する。端末は、さらにシステム、ユーザ装置、加入者ユニット、加入者局、移動局、モバイル機器、遠隔局、遠隔端末、アクセス端末、ユーザ端末、ユーザエージェント、ユーザ機器と呼ばれることができる。 ユーザ装置は、セルラー電話、コードレス電話、セッション開始プロトコル(ＳＩＰ)電話、ワイヤレスローカルループ(WLL)ステーション、PDA、無線接続能力を有するハンドヘルドデバイス、端末の中のモジュール、ホスト装置内に集積され、又は取り付けられることができるカード(例えば、PCMCIAカード)、無線モデムに接続された他の処理装置であることができる。
【００１５】
更に、請求された主題の観点は、請求された主題の種々の観点を実現するために、コンピュータ又は計算コンポーネントを制御するソフトウェア、ファームウェア、ハードウェア、またはこれらのどんな組み合わせを作り出す標準プログラミング及び/又は工学テクニックを使用する方法、装置、製品として実現される。「製品」というここに使用される用語は、どんなコンピュータ読み込み可能な装置、キャリヤー、メディアからもアクセス可能なコンピュータプログラムを包含する意図である。例えば、コンピュータの読み込み可能なメディアは、磁気記憶装置装置(例えば、ハードディスク、フロッピー（登録商標）ディスク、磁気ストリップ…)、光ディスク(例えば、コンパクトディスク(CD)、デジタル汎用ディスク(DVD)…)、スマートカード、およびフラッシュメモリ装置(例えば、カード、スティック、キードライブ…)を包含するが、これらに制限されない。さらに、搬送波は、ボイスメールを送信し、受信する際に使用され、またはセルラー・ネットワークなどのネットワークにアクセスする際に使用されるもののようなコンピュータ読み込み可能な電子データを伝送するために使用されることが理解されるべきである。もちろん、当業者はここで説明されることの範囲又は精神から逸脱することなく多くの変形を認識することができる。
【００１６】
図1を参照すると、システム100は通信環境についての周波数領域均等化について示す。システム100は、コンポーネントが複数入力単一出力又は複数入力複数出力(MIMO)システム(または、以下に説明する他のタイプシステム)のための効率的で正確な周波数領域均等化を可能にするために設けられた場合に、繰り返し又はマルチステッププロセスを提供する。種々の処理コンポーネントは、静的なチャネルのために開発された周波数領域均等化(FDE)構造が時変チャネル上で有効となるように、チャネル変化のコンポーネントを取り除き、緩和し、減少する。したがって、時変チャネルにおける周波数領域均等化のビット誤り率(BER)性能が改善される。無線信号110(シンボル及び他の構造を含む)は、初期の周波数領域均等化(FDE)が周波数領域均等化コンポーネント130によって実行される場合に、高速フーリエ変換などの入力処理コンポーネント120によって処理される。受信された無線信号110は、例えば周波数領域均等化のために130でベースライン値を決定するためにP-ポイント離散フーリエ変換を介して時間領域から周波数領域まで変換される。
【００１７】
時変チャネルについては、しかしながら、値βが決定され、それは時間領域と周波数領域との間の対応する均等化の劣化を示し、周波数領域均等化コンポーネント130によって依存させられる。時間変化キャンセルコンポーネント140は、130で周波数領域均等化からβを繰り返し減算することによって、βの効果を取り除くか、減少する。この様に、周波数領域均等化性能は、時変チャネルが存在しても向上する。示されているように、しきいコンポーネント150は、βの効果がいつ所望の値に低減し、減少し、最小化されるかを決定するのに使用される。例えば、信号品質又は他の性能パラメタがしきい値により設定された所望の値よりも大きいか、小さいかである。βが所望の値に減少した後に、出力160がそれぞれの受信機(以下に示され、述べられる)のために生成される。
【００１８】
ある観点では、システム100は、チャネル変化のコンポーネントを減少し、円形畳み込み積分を回復し、静的なチャネルのためのFDE構造が時変チャネルにおいて有効になる。観点にしたがって、時変チャネルにおける周波数領域均等化のビット誤り率(BER)性能が向上される。時変チャネルは、FDE実装の実質的な劣化となる信号を生成する。時間領域における受信信号は、以下の式により与えられる。
【数１】
0005384373.tif 000002
【００１９】
ここで、
ρは、伝播経路の数を示す。
【００２０】
hl(n)は、ブロックにおけるタイムインデックスnでの第l経路のチャネル係数である。
【００２１】
τlは、最初の経路に関するl次経路の遅れである。
【００２２】
{sn}は送信信号のシーケンスである。FDEの使用において、{sn}は、巡回プレフィックス又は又はユニークなワード拡張子によって強制的に周期的にされる。
【００２３】
{rn}は受信信号である。
【００２４】
{ηn}は、受信雑音及び他の干渉である。
【００２５】
受信された信号110を周波数領域に変換するために、P-ポイントの離散的なフーリエ変換(DFT)が受信された信号{rn}に適用される。
【数２】
0005384373.tif 000003
【００２６】
DFT処理ブロックの持続時間に、チャネルが静的であるなら、hl(n)はnから独立である。しかしながら、式(2)の時変チャネルのためにhl(n)の値が変えられる。用語hl(n)は、時不変及び時変の観点から以下の通り分解できる。
【数３】
0005384373.tif 000004
【００２７】
ここで、
hl(0)は、データブロックにおけるタイムインデックスゼロでのl次の経路のチャネル利得の価値を示す。この期間は、１つのブロックにおけるチャネルインパルス応答の一定（時不変）コンポーネントを表す。
【００２８】
fl(n)は、l次の経路の時間nと時間ゼロとの間でのチャネル係数の違いである。この用語は、l次の経路の時間ゼロから時間ｔでの時間変化の量を示す。fl(n)の計算は、(3)から推論されることができる（hl(n)及びhl(0)の値が推定できれば、fl(n)=hl(n)-hl(0))。
【００２９】
上記式(2)及び(3)から、周波数領域における受信された信号は下記の通り記載できる。 
【数４】
0005384373.tif 000005
【００３０】
第１の用語、式(4)における右側のαは、以下の通りを簡素化できる。
【数５】
0005384373.tif 000006
【００３１】
次に、チャネル経路遅れτlが時間サンプルポイントに合わせ(align)、τlを式(5b)におけるlに代入すると仮定することにより、表記が少し変更される。
【数６】
0005384373.tif 000007
【００３２】
実際には、経路遅れが、通常、時間サンプルにアラインされていない間、同様の結末を得るために、非アライン経路を複数のアラインされたサブ経路に分解できることに留意すべきである。したがって、表記の変化は、記述の一般性を低減しない。したがって、ρはまだ経路の数を表しているが、このポイントからのρは、上述のサブ経路分解を含み、チャネルの遅れスプレッドをカバーするサンプルポイントの総数を意味することが理解される。
【００３３】
{sn}が周期的であるので、以下の等式は正しい。
【数７】
0005384373.tif 000008
【００３４】
したがって、αは、
【数８】
0005384373.tif 000009
【００３５】
ここで、
【数９】
0005384373.tif 000010
【００３６】
式（４）における第２の用語βは、
【数１０】
0005384373.tif 000011
【００３７】
で表わすことができる。
【００３８】
ここで、
【数１１】
0005384373.tif 000012
【００３９】
式(8)は、式(4)のコンパクトな表現が式(11)で与えられる場合の2つのシーケンス{fl(n)}及び{sn-l}の積の離散フーリエ変換である。
【数１２】
0005384373.tif 000013
【００４０】
チャネルが、DFT処理ブロックの１期間(例えば、fl(n)=0)内に一定であると仮定すると、βを消すことができ、時間領域におけるたたみ込みと、周波数領域における要素的な積との間の一致は保たれる。その結果、周波数領域均等化の概念が適用できる。 時変チャネルのために、βは時間領域と周波数領域との間の対応する等価性を壊し、周波数領域均等化の性能を低下させることができる。βの量の値はチャネル変化の量に依存している。その結果、移動性が増加するのに従って、βは重要な値を有する。
【００４１】
チャネルの時間変化に起因して、この用語βを取り除き、又は実質的に低減することが望ましいが、そのようにするには、チャネル係数と同様に、送信された信号snのアプリオリな知識を必要とする。さらに詳細に以下で図2に関して説明されるように、マルチステップ均等化の例示的な観点がチャネルの時間変化によって引き起こされたインパクトを減少するために使用される。また、βを推定して、排除する他の方法も使用されることができる。
【００４２】
時変チャネルについては、受信した信号の周波数応答が一般的に、送信信号の周波数応答とチャネルインパルス応答の積にもはや等しくないので、式(11)におけるβの存在のために、周波数領域均等化は概念的に適用することができない。
【００４３】
βを除去するか、緩和することが、FDEを効率的に処理するために望ましい。上述の式(9)と(10)から、βの計算は次の通りである。
【００４４】
{fl(n)}の値:  チャネル推定方法によって得ることができる。したがって、与えられたチャネル推定アルゴリズムで、hl(n)とhl(0)を得ることができる。fl(n)の推定は、
fl(n) = hl(n)- hl(0)    (9)
によって与えられる。
【００４５】
送信されたシーケンス{sn-l}の値: 実際には、これらの値は知られていない。 しかしながら、時間が異なる(time-varying)コンポーネントについてのいかなる処理なしに、FDEを時変チャネルに適用することによって得られる試験的な信号推定が使用されることができる。
【００４６】
上で述べたように、βを推定することは、他のテクニックで実行することができる。例えば、公知のパイロットトーンは、信号の時間変化を推定するために、パイロットトーンを伝送する信号のパイロット部分から引き去ることができる。パイロットトーンは公知であり、βの推定のためには良いソースであるが、全信号の小さな部分を含み、信号のデータ伝送部分を著しく含むものではなく、データの実際の復号に対する信号のそれほど関連していない部分についてのβの推定である。
【００４７】
2つのステップにおける他の観点が提供される。第１のステップでは、送信された信号の試験的な推定を取得するように、周波数領域均等化が実行される。これらの試験的に検出されたシンボルとチャネル推定では、βのキャンセルが可能である。第２のステップでは、βのキャンセルの後に、周波数領域均等化が、少なくともその後の時間で実行される。
【００４８】
システム100は、アクセス端末又はモバイル機器と共に使用されることができ、例えば、ＳＤカード、ネットワークカード、ワイヤレス・ネットワークカード、コンピュータ(ラップトップ、デスクトップ、携帯情報端末PDAを含む)、携帯電話、スマート電話、またはネットワークにアクセスするのに利用できるいかなる他の適切な端末のようなモジュールであることに留意すべきである。端末はアクセスコンポーネント(図示しない）)を通してネットワークにアクセスする。1つの例では、端末とアクセスコンポーネントとの接続は現実に無線であることができ、この場合において、アクセスコンポーネントが基地局であり、モバイル機器が無線端末であることができる。例えば、端末と基地局は、時分割多重アクセス(TDMA)、符号分割多重アクセス(CDMA)、周波数分割多重アクセス(FDMA)、直交周波数分割マルチプレキシング(OFDM)、フラッシュ OFDM、直交周波数分割多重アクセス(OFDMA)、または他のいかなる好適なプロトコルを含むが、これに限られるものではないいずれの好適な無線プロトコルを通して通信できる。
【００４９】
アクセスコンポーネントは有線ネットワークかワイヤレス・ネットワークに関連しているアクセスノードであることができる。そのために、例えば、アクセスコンポーネントは、ルータ、スイッチなどであることができる。アクセスコンポーネントは、1つ以上のインタフェースを含むことができ、例えば、他のネットワーク・ノードと通信するための通信モジュールである。さらに、アクセスコンポーネントはセルラータイプネットワークにおける基地局(または、無線アクセスポイント)であっても良く、基地局(または、無線アクセスポイント)は、無線カバレッジエリアを複数の加入者に提供するのに利用される。このような基地局(または、無線アクセスポイント)は、1つ以上の携帯電話、及び/または、他の無線端末にカバレッジの隣接エリアを提供するために配置される。
【００５０】
図2を参照すると、周波数領域均等化方法200が示されている。説明を簡単にするために、方法(かつ、ここにおいて述べられる他の方法)が一連の動作として示され、述べられる一方、１つ以上の実施の形態に従ういくつかの動作は、ここにおいて示され述べられた順序と異なる順番で及び／又は他の動作と同時であることができるので、方法は、動作の順序に限定されるものではない。例えば、当業者は、方法が択一的に、状態図のような一連の相関的な状態又はイベントとして表わさされることができることを理解し、認識できる。更に、請求された主題に従う方法を実施するために、図示されていない動作を利用できる。
【００５１】
詳細な方法200に進む前に、いくつかの一般的な周波数領域プロセス動作が述べられる:
動作1: FDEを時変チャネルに適用して、仮のシンボル推定を得る。これは送信された信号の仮の推定を生成する。このようにして、実質的に、どんなタイプの周波数領域均等化構造もこの点に含まれることができる。周波数領域均等化は時不変チャネルよりむしろ時変チャネルに適用されるので、誤ったシンボル推定{s^n]が発生する。
【００５２】
動作2: 動作1における仮のシンボル推定からβの計算
【数１３】
0005384373.tif 000014
【００５３】
動作3: 上記式(4)におけるRkからのβの減算βの推定が許容できると、Rkはαになる。しかしながら、ステップ2における理想的なデータ検出を実現できず干渉項の部分的な量が取り除かれる。
【００５４】
Rk = Rk - β   (11)
動作4: シンボル推定を得るために動作3において計算されたRkに周波数領域均等化を適用する。この動作は、動作2と同様である。βのインパクトが部分的に減少するので、改良されたシンボル推定はこの動作で達成される。したがって、周波数領域均等化の総合的な性能が向上される。
【００５５】
図2を参照すると、詳細なプロセス200が示されており、上述の一般動作1〜4と同様である。プロセス200の210まで進むと、、信号を時間領域から周波数領域に変換するためにFFTがインカミング無線信号rnに実行される。212では、繰り返しフラグがゼロにリセットされ、そのようなフラグは、いつプロセス200が終了したか(例えば、しきい条件を満たしている)を決定するために調べられる。220では、周波数領域均等化が210からの変換されたデータに実行される。224では、シンボル検出シーケンスが実行される。このシーケンスは、212のフラグの状態を変えることができる。230で、テストがフラグが状態を変えたかどうか決定するために実行される。フラグが状態を変化(例えば、フラグがいまだゼロ)した場合、プロセス200が終了し、均等化されたデータが234で出力される。230で、フラグが状態を変えていない場合(例えば、フラグ=0)、プロセスは、240に進んで、フラグに１を設定する。この場合において、このことは、プロセス200が2回実行することを許容する。
【００５６】
しかしながら、望まれているならば、プロセス200が二度以上実行することは明らかである。例えば、信号品質か他のパラメタのためのしきいが、実行フラグが必要な品質まで変化しなかった場合に、セットアップされる。また、230におけるテストはプロセス200が、より多くの回数を実行することを許可する番号よりもより大きいフラグの番号のためのものである。  250では、データのプレフィックス及びサフィクッスをプロセスデータに添付する場合に、ユニークなワードが生成される。このタイプに関するデータは、与えられた信号を周期的に発生することにより、FFTの性能を助ける。また、250で周期的なプレフィックスが使用されることができる。260では、β計算が前述のように実行される。270では、時変キャンセルはβが以前の周波数領域均等化計算から減算される場合に実行される。キャンセルの後に、プロセスはその後の周波数領域均等化のための220に戻る。チャネル推定は、280で実行され(例えば、初期の処理かバックグラウンドの間)、プロセス200で使用される。
【００５７】
図3及び図4についてまとめて参照すると、例示的なシステム300及び400が、上述のコンポーネント及び方法に従う周波数領域均等化処理を図示する。図3に関して、受信した無線信号310が、シリアル・パラレルコンバータ312を介して処理され、DFTコンポーネント320を介して変換される。340でIDFTが実行される前に、330と334で位相及び振幅調整が行なわれる。逆拡散器３６０が出力370を生成する場合に、パラレル・シリアルコンバータが使用される。図4に関して、ハイブリッドアプローチが図示されている。処理ブロック410は、図3について述べられたものと同様の機能を提供する。フィードバック要素は、420で処理ブロック410からの出力が他の処理データと加算される場所で加えられる。逆拡散器430は、中間出力440を生成し、この中間出力４４０は再拡散器コンポーネントを介した合計コンポーネント420へのフィードバックでり、再拡散器コンポーネントはβ460を生成し、β460は、４２０で最後にブロック410からの周波数領域均等化出力から減算される。以下の説明は図 3と4で図示されたシステム300と400に追加のコンテキストを提供する。
【００５８】
ある観点では、コンピュータ・シミュレーションを使用することで時変チャネルにおける周波数領域均等化(FDE)のために上で説明された方法の性能が評価できる。例えば、DS-CDMAシステムはシミュレーションで考えられた例示的なシステムである。観点は非拡散スペクトルシステムにも同様に適用できる。ITU-R M.1225勧告に述べられるような移動体環境のチャネルBが考えられる。チップレートは3x cdma2000のように3.6864Mbpsに選択され、マルチ経路間の遅れは基本チップ間隔(1/3.6864Mcps≒271ns)の整数倍であると仮定され、変更されたチャネルBの6つの独立経路の電力遅れプロファイルが以下の表1にリストアップされている。理想的なチャネル推定を仮定し、QPSK変調を使用する符号化されていないシステムの性能を考える。16-アレイウォルシュ符号は拡散符号として使用される。1024のFFTサイズを有し、1つの伝送ブロックにおける変調されたシンボルの数は64である。チャネルBの最大超過遅れは、20054/271=74 チップに達し、80チップのPNシーケンスは各データブロックに挿入される。その結果、情報を持つシンボルの数は59である。シミュレーション・パラメータは以下の表2に集約される。
【表１】
0005384373.tif 000015
【表２】
0005384373.tif 000016
【００５９】
パフォーマンスの改良は周波数領域線形均等化(FD-LE)及びハイブリッド決定フィードバック均等化(HDFE)を有するアルゴリズムのために示されてきた。DS-CDMAのためのFD-LE構成が図3に示される。
【００６０】
線形等化係数{Wk}は、以下に与えられる。
【数１４】
0005384373.tif 000017
【００６１】
ここで、{Hk}はチャネルインパルス応答のDFTであり、σn2は、白色雑音分散である。
【００６２】
FDにおけるDFEの1つの可能な実現が、フィードフォワードフィルタが周波数領域で実行され、ードバックフィルタが時間領域で実施されるハイブリッド構造である。チップレベルHDFEが図4に図示される。他の好適な構造と実現が可能であることが理解される。
【００６３】
図5と6をまとめて参照すると、周波数領域性能データの例が図示されている。
【００６４】
以下の一次方程式の組を解くことによって、上に述べられたフィードバックフィルタ係数{βi}を得ることができる。
【数１５】
0005384373.tif 000018
【００６５】
ここで、Nbはフィードバックフィルタのタップ数であり、λmは以下のように定義される。
【数１６】
0005384373.tif 000019
【００６６】
フィードフォワードフィルタ係数は以下のように表わされる。
【数１７】
0005384373.tif 000020
【００６７】
例示的な方法の観点が60km/h及び120km/hの速度で移動する移動ユニットために評価され、理想的なチャネル推定が仮定される。シミュレーション結果は図5の500と510に示される。ミディアム・スピードフェージングチャネル(60v=km/h)では、わずかな性能向上が観測される。適度の利得の理由は、この速度と選ばれたFFTサイズでは、チャネル利得が1データ・ブロック上で大きく変化しないからである。式(4)における、βの上の効果はほとんど取るに足らない。  しかしながら、移動ユニットが120km/hの速度で移動する場合、チャネル利得が1ブロックの持続時間に一定のままで残っているという仮定は激しく破られる。βの量を部分的に除去することによって、提案されたアプローチは双方のFDE構造、FD-LE及びチップレベルHDFEのための従来のFDEより良い性能を示す。時変チャネルにおけるFDEのための方法の性能は、第１のステップにおける検出されたデータの精度に依存しているので、チップレベルHDFEは、高速フェージングチャネルにおいてFD-LEよりも多くの性能ゲインを提供する。
【００６８】
図6のチャート600と610は、実用的なチャネル推定に基づくアルゴリズムの性能について図示する。ユニークなワード(UW)の伝送フォーマットのために、UWがそれぞれのブロックの端に加えられ、チャネルを推定するパイロット信号として使用されることができる。より正確なチャネル推定を達成するために、UWの長さを288個のチップまで広げることができる。補間(interpolation)が時間多重送信されたパイロットシンボル構造のためのデータ・フィールドでチャネル係数を得るために使用されることができる。したがって、以下の2ステップでチャネル推定を実行できる。第１に、UW位置のチャネルがマルチステージ連続干渉キャンセルアプローチを使用して推定される。第２に、同期補間テクニックが、データ・フィールドでチャネル利得を得るのに利用される。補間時間係数はチャネル状態に関してされた前提に依存している。例えば、ユーザの最高速度が120km/hであり、キャリヤー周波数が2GHzであることが知られている場合には、センターと最初のヌルの間で4.5ms以下の同期補間が適切である。また、いかなる他の好適なチャネル推定のテクニックも使用できる。
【００６９】
図7と図8にまとめて移ると、端末、オペレータネットワーク、アクセスノード、およびこれらのトラフィックフローに関して命令を行なうシーケンスに関連するシステムが設けられる。システムは一連の相関的な機能ブロックとして表わされ、機能ブロックはプロセッサ、ソフトウェア、ハードウェア、ファームウェア、またはこれらのどんな好適な組み合わせによっても実施される機能を表わす。
【００７０】
具体的に図7を参照すると、移動装置からの通信を容易にするシステム700示されている。システム700は、装置において時間変化を決定するための論理モジュール702と、装置において周波数領域均等化を決定するための論理モジュール704を含む。また、装置において周波数領域均等化からの時間変化を減少するための論理モジュール706をも含む。
【００７１】
図8を参照すると、基地局からの通信を容易にするシステム800が示されている。システム800は、アクセスポイントで時間変化を決定するための論理モジュール802と、アクセスポイントで周波数領域均等化を決定するための論理モジュール804を含む。また、システム800はアクセスポイントで周波数領域均等化からの時間変化を取り除くための論理モジュール806を含む。
【００７２】
図9は、例えば無線端末のような無線通信装置である通信装置900について図示する。さらに、又は択一的に、通信装置900は有線ネットワークの中で存在することができる。通信装置900は、無線通信端末で受信された信号のために時間変化を決定するための指示を保有できるメモリ902を含むことができ、そこでは、時間変化が周波数領域均等化から減算される。さらに、通信装置900は別のネットワーク装置から受信された指示及び/又はメモリ902に存在する指示を実行できるプロセッサ904を含むことができる。この場合において、指示は関連する通信装置又は通信装置900を構成するか、または操作することに関連する。
【００７３】
図10を参照すると、ある観点に従う多重アクセス無線通信システムが示されている。アクセスポイント1000(AP)は、複数のアンテナグループを含み、あるグループは、1004、1006を含み、他のグループは1008、1010を含み、さらに他は、1012と1014を含む。図10では、各アンテナグループのために2つのアンテナだけが示されている。しかしながら、各アンテナグループには、より多く、又はより少ないアンテナを利用できる。アクセス端末1016(AT)は、アンテナ1012及び1014と通信状態にあり、アンテナ1012と1014は、フォワードリンク1020上で情報をアクセス端末1016に送信し、リバースリンク1018上で情報をアクセス端末1016から受信する。アクセス端末1022は、アンテナ1006と1008通信状態にあり、アンテナ1006と1008は、フォワードリンク1026上で情報をアクセス端末1022に送信し、リバースリンク1024上でアクセス端末1022から情報を受信する。FDDシステムでは、通信リンク1018、1020、1024、および1026は通信のために異なる周波数を使用できる。例えば、フォワードリンク1020が異なる周波数を使用し、この異なる周波数は、次に、リバースリンク1018で使用される。
【００７４】
通信するように設計されているアンテナの各グループ及び/又はエリアは、しばしばアクセスポイントのセクターと呼ばれる。各アンテナグループは、アクセスポイント1000によってカバーされるエリアのうちのセクターにおいてアクセス端末と通信するように設計されている。フォワードリンク1020と1026上の通信では、アクセスポイント1000の送信アンテナは、異なるアクセス端末1016と1024のためのフォワードリンクのSN比を向上するためにビームフォーミング(beam-forming)を利用する。また、そのカバレッジを通してランダムに点在するアクセス端末に送信するためにビームフォーミングを使用するアクセスポイントは、単一のアンテナを通してすべてのアクセス端末に送信するアクセスポイントよりも隣接しているセルにおけるアクセス端末へのより少ない干渉をもたらす。
【００７５】
アクセスポイントは、端末と通信するのに使用される固定交信局であることができ、また、アクセスポイント、ノードB、または他の用語で呼ばれることができる。アクセス端末はアクセス端末、ユーザ設備(UE)、無線通信装置、端末、アクセス端末または他の用語で呼ばれることができる。
【００７６】
図11を参照すると、システム1100は、MIMOシステム1100における送信機システム210(アクセスポイントとして、知られている)と受信機システム1150(アクセス端末として、知られている)を図示している。送信機システム1110では、多くのデータ・ストリームについてのトラフィックデータは、データ源1112から送信(ＴＸ)データプロセッサ1114へ供給される。各データ・ストリームは、それぞれの送信アンテナで送信される。TXデータプロセッサ1114は、符号化されたデータを提供するために、そのデータ・ストリームのために選択された特定の符号化スキームに基づいて、各データ・ストリームのためのトラフィックデータをフォーマットし、コード化し、およびインタリーブする。
【００７７】
各データ・ストリームのための符号化されたデータは、OFDMテクニックを使用するパイロットデータとマルチプレクス(multiplexed)されても良い。通常、パイロットデータは公知のデータパターンであり、公知の方法で処理され、チャネル応答を推定するために受信機システムで使用される。各データストリームのためのマルチプレクスされたパイロット及び符号化されたデータは、次に、変調シンボルを提供するためにそのデータストリームについて選択された特定の変調スキーム(例えば、BPSK、QSPK、M-PSK、またはM-QAM)に基づいて変調される。各データ・ストリームのためのデータレート、コード化、および変調はプロセッサ1130によって実行された指示で決定される。
【００７８】
全てのデータ・ストリームの変調シンボルはTX MIMOプロセッサ1120に提供され、さらに、TX MIMOプロセッサ1120は、この変調シンボルを処理(例えば、OFDMのために)する。TX MIMOプロセッサ1120は、次に、NT変調シンボルストリームを1122tを通してNT送信機(TMTR)1122aへ給する。ある実施例では、TX MIMOプロセッサ1120は、ビームフォーミング重みをデータ・ストリームのシンボル及びシンボルが送信されているアンテナに適用する。
【００７９】
各送信機1122が1つ以上のアナログ信号を提供するために、各シンボルストリームを受信し、処理し、さらに、MIMOチャネル上での伝送に好適な変調された信号を提供するためにアナログ信号を調整(例えば、増幅、フィルタ、アップコンバート）する。送信機1122a〜1122tからのNT変調信号は、次に、NTアンテナ1124a〜1124tからそれぞれ送信される。
【００８０】
受信機システム1150では、送信され変調された信号は、NRアンテナ1152aから1152rによって受信され、各アンテナ1152からの受信された信号は、各受信機(RCVR)1154aから1154rに提供される。各受信機1154は、それぞれの受信信号を調整し(例えば、フィルタし、増幅し、ダウンコンバートし) 、、サンプルを提供するために調整された信号をデジタル化し、対応する「受信」シンボルストリームを提供するためにさらにサンプルを処理する。
【００８１】
次に、RXデータプロセッサ1160は、「検出」シンボルストリームを提供するために特定の受信機処理テクニックに基づいて、NR受信機1154からのNRの受信シンボルストリームを受信し、処理する。RXデータプロセッサ1160は、次に、データ・ストリームのためのトラフィックデータを回復するために、各検出されたシンボルストリームを復調し、デインタリーブし、デコードする。RXデータプロセッサ1160による処理は、TX MIMOプロセッサ1120とTXデータプロセッサ1114によって送信機システム1110で実行された処理と相補的である。プロセッサ1170は、周期的にどのプレコーディングマトリクスを使用したらよいかを(以下に述べる。)決定する。
【００８２】
プロセッサ1170は、マトリクスインデックス部分とランク値部分を含むリバースリンクメッセージを定式化(formulate)する。リバースリンクメッセージは様々なタイプの通信リンク及び/又は受信データストリームに関する情報を含むことができる。リバースリンクメッセージは、次に、TXデータプロセッサ1138によって処理され、TXデータプロセッサ1138はさらにデータ源1136からの多くのデータ・ストリームのためのトラフィックデータを受信し、この受信されたトラフィックデータは変調器1180によって変調され、送信機1154a〜1154rにより調整され、送信機システム1110に送信されて戻される。
【００８３】
送信機システム1110では、受信機システム1150からの変調信号がアンテナ1124によって受信され、受信機1122によって調整され、復調器1140によって復調され、RXデータプロセッサ1142によって処理されて、受信機システム1150によって送信されたリバースリンクメッセージを抽出する。そして、プロセッサ1130は、ビームフォーミング重みを決定するのに使用するためのどのプレコーディングマトリクスかを決定し、次に、抽出されたメッセージを処理する。
【００８４】
ある観点では、論理チャネルは制御チャネルとトラフィックチャネルに分類される。論理制御チャネルは、システム制御情報を放送するためのDLチャネルである放送制御チャネル(BCCH)を含む。DLチャネルであるページング制御チャネルl(PCCH)は、ページングチャネルを伝送する。マルチキャスト制御チャネル(MCCH)は、１つ又はいくつかのＭＴＣＨｓのためのマルチメディア放送とマルチキャストサービス(MBMS)スケジューリングと制御情報とを送信するのに使用されるポイント−マルチポイントＤＬチャネルである。一般に、RRC接続を確立した後は、このチャネルはMBMS(注意: 古いMCCH+MSCH)を受信するUEsによって使用されるだけである。専用制御チャネル(DCCH)は、ポイントーポイントの双方向のチャネルであり、専用の制御情報を送信し、RRC接続を有するUEsによって使用される。論理トラフィックチャネルは、ポイント−ポイントの双方向のチャネルであって、ユーザ情報の転送のための１つのＵＥに対しての専用のものである専用トラフィックチャネル(DTCH)を含む。さらに、マルチキャストトラフィックチャネル(MTCH)は、トラフィックデータを送信するためのポイント−マルチポイントDLチャネルのためのものである。
【００８５】
転送チャネルはDLとULに分類される。DL転送チャネルは、 放送チャネル(BCH)、ダウンリンク共有データチャネル(DL-SDCH)及びページングチャネル(PCH)を含み、UEパワーセービング(DRXサイクルがUEへのネットワークによって示される)のサポートのためのPCHはセル全体に放送され、他の制御/トラフィックチャネルに使用できるPHYリソースにマップされる。UL転送チャネルは、ランダムアクセスチャネル(RACH)、リクエストチャネル(REQCH)、アップリンク共有データチャネル(UL-SDCH)、および複数のPHYチャネルを含む。PHYチャネルは、DLチャネルとULチャネルの組を含む。
【００８６】
DL PHYチャネルは以下のものを含む。
【００８７】
共通パイロットチャネル(CPICH)
同期チャネル(SCH)
共通制御チャネル(CCCH)
共有ＤＬ制御チャネル(SDCCH)
マルチキャスト制御チャネル(MCCH)
共有UL割り当てチャネル(SUACH)
アクノレッジチャネル(ACKCH)
ＤＬ物理共有データチャネル(ＤＬ-PSDCH)
UL電力制御チャネル(UPCCH)
ページングインジゲータチャネル(PICH)
ロードインジゲータチャネル(LICH)
UL PHYチャネルは以下のものを含む。
【００８８】
物理ランダムアクセスチャネル(PRACH)
チャネル品質インジゲータチャネル(CQICH)
アクノレッジチャネル(ACKCH)
アンテナサブセットインジゲータチャネル(ASICH)
共有リクエストチャネル(SREQCH)
UL物理共有データチャネル(UL-PSDCH)
放送パイロットチャネル(BPICH)
ある観点では、１つのキャリヤー波形のＰＡＲ(任意の時点で、チャネルが周波数的に隣接しているか一様である)特性を保存するチャネル構造が提供される。
【００８９】
上で説明されたことは、1つ以上の実施の形態の例を含む。前述の実施の形態を述べる目的のためのコンポーネント又は方法のあらゆる想像できる組み合わせを述べることは勿論可能でなく、当業者は、様々な実施の形態のさらなる多くの組み合わせと入れ替えが可能であると認識できる。従って、述べられた実施の形態は、添付された請求項の精神と観点に含まれるそのようなすべての変更、修正、およびバリエーションを包含することを意図する。さらに、「含む(include)」という用語が詳細な説明か請求項のどちらかで使用される範囲については、そのような用語は、"含む(comprising)”が請求項において過渡的(transitional)な単語として使われれた場合に「含む(comprising)」が解釈されるのと同様に包括的であることを意図する。
以下の記載は、出願当初の特許請求の範囲の記載と実質的に同じものである。
［１］
無線通信端末が情報を送信し又は受信するチャネルの時変を推定し、
前記無線通信端末によって送信され又は受信された信号から前記チャネルの推定された時変を減少することを含む無線通信端末のための方法。
［２］
前記信号は、
【数１８】
0005384373.tif 000021
と表わされ、
ρは伝播経路の数を示し、
hl(n)はブロックにおけるタイムインデックスnでのｌ次経路のチャネル係数、
τｌは第１の経路に対する相対的なｌ次経路の遅れ、
{sn}は送信された信号のシーケンス、
{rn}は受信信号、
{ηn}は、受信雑音と他の干渉である［１］記載の方法。
［３］
周波数領域でRkを生成するためにrnの高速フーリエ変換(ＦＥＴ)を生成することをさらに含む［2］記載の方法。
［４］
時変表現
【数１９】
0005384373.tif 000022
ここで、fl(n)はｌ次経路の時間n及び時間０でのチャネル係数の差異であり、
を決定することをさらに含む［３］記載の方法。
［５］
前記推定された時変を減少することは、周波数領域均等化(FDE)から増加(incremental)ステップにおいてβを減算することを含む［４］記載の方法。
［６］
Rk=Rk-βを介して時変キャンセルを実行することをさらに含む［５］記載の方法。
［７］
巡回プレフィックスを通してシーケンスを周期的にすることをさらに含む［６］記載の方法。
［８］
ユニークなワード拡張子(extension)を通してシーケンスを周期的にすることをさらに含む［６］記載の方法。
［９］
前記推定された時変を減少することを決定するためにしきい値を使用することをさらに含む［１］記載の方法。
［１０］
前記しきい値は、信号品質パラメータに関連付けられている［９］記載の方法。
［１１］
前記しきい値は、繰り返し番号に関連付けられている［９］記載の方法。
［１２］
周波数領域均等化の決定を容易にするためのチャネル推定を実行することをさらに含む［1］記載の方法。
［１３］
周波数領域均等化を決定するために少なくとも1つの離散フーリエ変換を実行することをさらに含む［12］記載の方法。
［１４］
周波数領域均等化から出力を生成するために逆拡散機能を実行することをさらに含む［13］記載の方法。
［１５］
時間領域で少なくとも周波数領域均等化の部分を実行することをさらに含む［14］記載の方法。
［１６］
周波数領域均等化のために時間領域情報を周波数領域にフィードバックすることをさらに含む［15］記載の方法。
［１７］
無線通信端末において受信された信号のために時変を決定する指示を保有するメモリと、前記時変は、周波数領域均等化から引き算され、
前記指示を実行するプロセッサと
を具備する通信装置。
［１８］
前記メモリは、前記時変を繰り返して減算する指示をさらに具備する［１７］記載の通信装置。
［１９］
前記メモリは、周波数領域の時変の部分と時間領域の時間領域の部分を引き算するための指示をさらに含む［１８］記載の通信装置。
［２０］
前記メモリは、時変を決定するためにフィードバックを使用するための指示をさらに含む［１９］記載の通信装置。
［２１］
装置において時変を決定する手段と、
前記装置において周波数領域均等化を決定する手段と、
前記装置において周波数領域均等化から時変を減少する手段と
を具備する通信装置。
［２２］
装置において時変を決定し、
前記装置において周波数領域均等化を決定し、
前記装置において周波数領域均等化から時変を減算するための機械読み取り可能な指示を格納する機械読み取り可能な媒体。
［２３］
巡回プレフィックス又はユニークなワード拡張子(extension)を通してシーケンスを周期的にすることをさらに含む［２２］記載の機械読み取り可能な媒体。
［２４］
周波数領域の時変キャンセルルーチンの部分と時間領域の時変キャンセルルーチンの部分を実行することをさらに含む［２２］記載の機械読み取り可能な媒体。
［２５］
装置において受信信号から時変を決定し、
前記装置において周波数領域均等化を実行し、
繰り返し処理を通して、装置において周波数領域均等化から時変を減少する指示を実行するプロセッサ。
［２６］
無線通信アクセスポイントが情報を送信し又は受信するチャネルの時変を推定し、
前記無線通信アクセスポイントによって送信され又は受信された信号から前記チャネルの推定された時変を減少することを含む無線通信アクセスポイントのための方法。
［２７］
前記信号は、
【数２０】
0005384373.tif 000023
と表わされ、
ρは伝播経路の数を示し、
hl(n)はブロックにおけるタイムインデックスnでのｌ次経路のチャネル係数、
τｌは第１の経路に対する相対的なｌ次経路の遅れ、
{sn}は送信された信号のシーケンス、
{rn}は受信信号、
{ηn}は、受信雑音と他の干渉である［２６］記載の方法。
［２８］
周波数領域でRkを生成するためにrnの高速フーリエ変換(ＦＥＴ)を生成することをさらに含む［2７］記載の方法。
［２９］
時変表現
【数２１】
0005384373.tif 000024
ここで、fl(n)はｌ次経路の時間n及び時間０でのチャネル係数の差異であり、
を決定することをさらに含む［２８］記載の方法。
［３０］
前記推定された時変を減少することは、周波数領域均等化(FDE)から増加(incremental)ステップにおいてβを減算することを含む［２９］記載の方法。
［３１］
Rk=Rk-βを介して時変キャンセルを実行することをさらに含む［３０］記載の方法。
［３２］
無線通信アクセスポイントにおいて受信された信号のために時変を決定する指示を保有するメモリと、前記時変は、周波数領域均等化から引き算され、
前記指示を実行するプロセッサと
を具備する通信装置。
［３３］
アクセスポイントにおいて時変を決定する手段と、
前記アクセスポイントにおいて周波数領域均等化を決定する手段と、
前記アクセスポイントにおいて周波数領域均等化から時変を取り除く手段と
を具備する通信装置。
［３４］
アクセスポイントにおいて受信信号からの時変を決定し、
前記受信信号に従って周波数領域均等化を決定し、
前記周波数領域均等化から時変を減算するための機械読み取り可能な指示を格納する機械読み取り可能な媒体。
［３５］
アクセスポイントにおいて受信信号からの時変を決定し、
前記受信信号に従って周波数領域均等化を実行し、
前記アクセスポイントにおいて前記周波数領域均等化からの時変を減少するための指示を実行するプロセッサ。
【図１】
0005384373.tif 000029
【図２】
0005384373.tif 000030
【図３】
0005384373.tif 000031
【図４】
0005384373.tif 000032
【図５】
0005384373.tif 000033
【図６】
0005384373.tif 000034
【図７】
0005384373.tif 000035
【図８】
0005384373.tif 000036
【図９】
0005384373.tif 000037
【図１０】
0005384373.tif 000038
【図１１】
0005384373.tif 000039